(57)【要約】【課題】加入者がプッシュオン・プルオフ用のスライダ６ａを有する加入者側光コネクタ６を正常に接続できたか否かを簡単に確認できる光コンセントを提供する。【解決手段】  加入者側光コネクタ６のケース１外へ突出する部分に装着される位置確認部材11を設ける。位置確認部材11は、ケースカバー１Ｂへの取り付け部14と、スライダ６ａの後端面を抱え込む抱え込み部15とを有する。ケースカバー１Ｂは、位置確認部材11の取り付け部14が取り付けられる被取り付け部12を有する。位置確認部材11の取り付け部14と抱え込み部15間の寸法は、加入者側光コネクタ６が適正位置まで挿入されたときは抱え込み部15がスライダ６ａの後端面を抱え込めるが、適正位置まで挿入されないときは抱え込み部15がスライダ６ａに突き当たってスライダ６ａの後端面を抱え込めないように設定される。【選択図】図５
2013113923.tif 000002
【特許請求の範囲】
【請求項１】
ケース本体とケースカバーとからなるケースと、前記ケース本体に一方のコネクタ挿入口がケース内に開口し、他方のコネクタ挿入口がケース外に開口するように取り付けられたアダプタとを備え、
前記アダプタのケース本体内に開口するコネクタ挿入口には局側光ケーブルの端部に取り付けられた局側光コネクタが挿入され、
前記アダプタのケース本体外に開口するコネクタ挿入口には加入者側光ケーブルの端部に取り付けられた、プッシュオン・プルオフ用のスライダを有する加入者側光コネクタが挿入される光コンセントにおいて、
前記加入者側光コネクタのケース外へ突出する部分に装着される位置確認部材をさらに備え、この位置確認部材は、前記ケースカバーへの取り付け部と、前記スライダの後端面を抱え込む抱え込み部とを有しており、
前記ケースカバーは、前記位置確認部材の取り付け部が取り付けられる被取り付け部を有しており、
前記位置確認部材の取り付け部と抱え込み部間の寸法は、加入者側光コネクタが適正位置まで挿入されたときは抱え込み部がスライダの後端面を抱え込めるが、適正位置まで挿入されないときは抱え込み部がスライダに突き当たってスライダの後端面を抱え込めないように設定されている、
ことを特徴とする光コンセント。
【請求項２】
前記位置確認部材は、抱え込み部がスライダの後端面を抱え込んだときに、スライダを両側又は片側から抱持する抱持片を有していることを特徴とする請求項１記載の光コンセント。
【請求項３】
前記位置確認部材の取り付け部と前記ケースカバーの被取り付け部は凹凸嵌合部で構成されていることを特徴とする請求項１又は２記載の光コンセント。
【請求項４】
前記位置確認部材の取り付け部と前記ケースカバーの被取り付け部はヒンジ部で構成されていることを特徴とする請求項１又は２記載の光コンセント。
【発明の詳細な説明】
【技術分野】
【０００１】
本発明は、局側光ケーブルと加入者側光ケーブルをコネクタ接続する光コンセント（光ローゼットを含む）に関するものである。
【背景技術】
【０００２】
光コンセントは、室内の壁等に設置されて、局側光ケーブルの端部に取り付けられた局側光コネクタと、加入者側光ケーブルの端部に取り付けられた加入者側光コネクタとを接続するのに用いられる（特許文献１、２参照）。
【０００３】
従来の光コンセントを図８に示す。光コンセントは、ケース１と、光コネクタ接続用のアダプタ２とを備えている。ケース１は、室内の壁等に取り付けられるケース本体１Ａと、その前面に被せられるケースカバー１Ｂとから構成される。図８（Ａ）はケースカバー１Ｂを装着した状態、同図（Ｂ）はケースカバー１Ｂを取り外した状態を示す。アダプタ２は、一方のコネクタ挿入口がケース１内に開口し、他方のコネクタ挿入口がケース１外に開口するようにケース本体１Ａに取り付けられている。
【０００４】
アダプタ２のケース１内に開口するコネクタ挿入口には局側光ケーブル３の端部に取り付けられた局側光コネクタ４が挿入されている。この状態で、アダプタ２のケース１外に開口するコネクタ挿入口に、加入者側光ケーブル５の端部に取り付けられた加入者側光コネクタ６が挿入されて、両光コネクタ４、６の接続が行われる。
【０００５】
加入者側光コネクタ６は、アダプタ２内で局側光コネクタ４との端面突き合わせ接続をバネ力を利用して確実に行えるようにするため、プッシュオン・プルオフ用のスライダ６ａ（特許文献３、４参照）を有している。図８（Ａ）（Ｂ）は、これから加入者側光コネクタ６をアダプタ２に挿入するため、スライダ６ａを前進位置に移動させた状態を示している。スライダ６ａが後退位置にあるときは、図８（Ａ）の二点鎖線の位置にある。
【０００６】
スライダ６ａを手指で摘んで加入者側光コネクタ６をアダプタ２に挿入していくと、まず図９の状態で挿入力が急に大きくなり、手指には押し込みが止まったような感触がある。図９の状態は光コネクタ４、６が正常に接続されていない、いわゆる「半挿し」の状態である。「半挿し」の状態では、図９（Ｃ）のようにスライダ６ａの先端面とアダプタ２の下端面との間に隙間Ｇが残る。この隙間Ｇは図９（Ａ）（Ｂ）に示すようにケースカバー１Ｂが被せられていても外部から認識できる。その後、さらに強く押し込むと図１０のようにスライダ６ａの先端面がアダプタ２の下端面に突き当たった状態となり、それ以上押し込めなくなる。これが、両光コネクタ４、６が正常に接続された状態である。
【０００７】
なお、アダプタ２に挿入された加入者側光コネクタ６を引き抜くときは、図１１（Ａ）に示すようにスライダ６ａを手指で摘んで後退位置まで引き戻し、その後、さらに強くスライダ６ａを引っ張れば、図１１（Ｂ）のように引き抜くことができる。
【先行技術文献】
【特許文献】
【０００８】
【特許文献１】特開平９−１２７３６９号公報
【特許文献２】特開２００９−７５２１３号公報
【特許文献３】特開２００６−２１５４５９号公報
【特許文献４】特開２００８−１７５９４３号公報
【発明の概要】
【発明が解決しようとする課題】
【０００９】
加入者側光コネクタを光コンセントへ接続する作業は、工事業者ではなく光回線の加入者が行うのが一般的である。加入者は、プッシュオン・プルオフ用のスライダ６ａを有する光コネクタ６を光コンセントに接続するときに、２段階の押し込みが必要であることを知らないことが多い。このため、図９の「半挿し」の状態で接続が完了したものと思い込み、光コネクタを光コンセントに差し込んだのに光回線がつながらないという問い合わせが局側に寄せられることがある。このような問い合わせがあると、局側はスライダ６ａの先端部がケース１内に入って見えなくなるまでスライダ６ａを強く押し込むよう加入者に説明する必要があり、手間がかかっていた。
【００１０】
本発明の目的は、上記のような問題点に鑑み、加入者が光コネクタを正常に接続できたか否かを簡単に確認できる光コンセントを提供することにある。
【課題を解決するための手段】
【００１１】
本発明は、ケース本体とケースカバーとからなるケースと、前記ケース本体に一方のコネクタ挿入口がケース内に開口し、他方のコネクタ挿入口がケース外に開口するように取り付けられたアダプタとを備え、前記アダプタのケース本体内に開口するコネクタ挿入口には局側光ケーブルの端部に取り付けられた局側光コネクタが挿入され、前記アダプタのケース本体外に開口するコネクタ挿入口には加入者側光ケーブルの端部に取り付けられた、プッシュオン・プルオフ用のスライダを有する加入者側光コネクタが挿入される光コンセントにおいて、
前記加入者側光コネクタのケース外へ突出する部分に装着される位置確認部材をさらに備え、この位置確認部材は、前記ケースカバーへの取り付け部と、前記スライダの後端面を抱え込む抱え込み部とを有しており、前記ケースカバーは、前記位置確認部材の取り付け部が取り付けられる被取り付け部を有しており、前記位置確認部材の取り付け部と抱え込み部間の寸法は、加入者側光コネクタが適正位置まで挿入されたときは抱え込み部がスライダの後端面を抱え込めるが、適正位置まで挿入されないときは抱え込み部がスライダに突き当たってスライダの後端面を抱え込めないように設定されている、ことを特徴とするものである。
【００１２】
本発明において、前記位置確認部材は、抱え込み部がスライダの後端面を抱え込んだときに、スライダを両側又は片側から抱持する抱持片を有していることが好ましい。
【００１３】
本発明において、前記位置確認部材の取り付け部と前記ケースカバーの被取り付け部は凹凸嵌合部で構成することができる。
【００１４】
本発明において、前記位置確認部材の取り付け部と前記ケースカバーの被取り付け部はヒンジ部で構成することもできる。
【発明の効果】
【００１５】
本発明によれば、光コンセントの外部に開口するコネクタ挿入口に加入者側光コネクタを挿入して加入者側光コネクタの突出部に位置確認部材を装着するときに、光コネクタが適正位置まで挿入されていれば、位置確認部材を正常に（抱え込み部がスライダの後端面を抱え込むように）装着できるが、光コネクタが適正位置まで挿入されていない「半挿し」状態のときは、位置確認部材を正常に装着できない。したがって加入者は、位置確認部材を正常に装着できなかったときは、光コネクタが最後まで押し込まれていないことを察知できるので、光コネクタをさらに押し込む操作を行い、光コネクタを適正位置まで挿入することができる。したがって、光コネクタを光コンセントに差し込んだのに光回線がつながらないという問い合わせを少なくすることができる。
【００１６】
また、位置確認部材にスライダの抱持片を設けておくと、位置確認部材を正常に装着したときに、その状態を確実に保持することができる。
【００１７】
また、位置確認部材の取り付け部とケースカバーの被取り付け部を凹凸嵌合部で構成すると、位置確認部材がケースカバーと別部品となるので、加入者側光コネクタのサイズが変更されたりした場合に、位置確認部材だけを作り替えることにより、サイズ変更等に容易に安価に対応できる。
【００１８】
また、位置確認部材の取り付け部と前記ケースカバーの被取り付け部をヒンジ部で構成すると、位置確認部材がケースカバーと一体化されるので、位置確認部材を紛失するおそれがなくなる。
【図面の簡単な説明】
【００１９】
【図１】本発明に係る光コンセントの一実施例を示す、（Ａ）は正面図、（Ｂ）は右側面図。
【図２】図１の実施例に用いたケースの、（Ａ）は正面図（Ｂ）は右側面図、（Ｃ）は左側面図。
【図３】図１の実施例に用いた位置確認部材の斜視図。
【図４】図１の実施例に用いた位置確認部材の、（Ａ）は正面図（Ｂ）は右側面図、（Ｃ）は背面図、（Ｄ）は平面図、（Ｄ）は底面図、（Ｆ）は（Ｃ）のＦ−Ｆ線断面図。
【図５】図１の実施例において、（Ａ）は加入者側光コネクタが適正位置まで挿入されたときのスライダと位置確認部材の位置関係を示す側面図、（Ｂ）は加入者側光コネクタが半挿しの状態にあるときのスライダと位置確認部材の位置関係を示す側面図。
【図６】本発明に係る光コンセントの他の実施例を示す、（Ａ）は位置確認部材を装着する前の斜視図、（Ｂ）は位置確認部材を正常に装着したときの斜視図。
【図７】本発明に係る光コンセントのさらに他の実施例を示す、（Ａ）は位置確認部材を装着する前の斜視図、（Ｂ）は位置確認部材を正常に装着したときの斜視図。
【図８】従来の光コンセントに加入者側光コネクタを挿入する前の状態を示す、（Ａ）は正面図、（Ｂ）はケースカバーを外した状態での正面図。
【図９】従来の光コンセントに加入者側光コネクタを挿入して半挿しの状態にあるときの、（Ａ）は正面図、（Ｂ）は側面図、（Ｃ）はケースカバーを外した状態での正面図。
【図１０】従来の光コンセントに加入者側光コネクタを適正位置まで挿入した状態を示す、（Ａ）は正面図、（Ｂ）は側面図、（Ｃ）はケースカバーを外した状態での正面図。
【図１１】（Ａ）、（Ｂ）は従来の光コンセントから加入者側光コネクタを引き抜く過程をケースカバーを外した状態で示す正面図。
【発明を実施するための形態】
【実施例】
【００２０】
＜実施例１＞  図１は本発明の一実施例を示す。図１は従来例の図１０に対応するもので、図１０と同一部分には同一符号を付してある。この光コンセントは、ケース１及びアダプタ２の他に、加入者側光コネクタ６のケース１外へ突出する部分に装着される位置確認部材11を備えている。
【００２１】
ケース１は、図２に示すように、従来と同様なケース本体１Ａとケースカバー１Ｂとからなり、ケースカバー１Ｂのアダプタ２に被さる部分の両側に、位置確認部材11を取り付けるための嵌合凹部12（被取り付け部）を形成したものである。
【００２２】
位置確認部材11は、図３及び図４に示すように、ケースカバー１Ｂの嵌合凹部12を形成した部分から加入者側光コネクタ６までに跨って被せられる正面板部13に、ケースカバー１Ｂの嵌合凹部12に対応する嵌合凸部14（取り付け部）と、アダプタ２に適正に挿入された加入者側光コネクタ６の後端面（下端面）を抱え込む抱え込み部15と、同スライダ６ａを両側から抱持する抱持片16を、一体に形成したものである。
【００２３】
抱え込み部15は、スライダ６ａの後端面の両側部分を抱え込むように形成されており、この抱え込み部15と前記嵌合凸部14間の寸法Ｄは、加入者側光コネクタ６が適正位置まで挿入されたときは抱え込み部15がスライダ６ａの後端面を抱え込めるが、適正位置まで挿入されないときは抱え込み部15がスライダ６ａに突き当たってスライダ６ａの後端面を抱え込めないように設定されている。
【００２４】
また、抱持片16は、先端に内向き爪部16ａを有しており、この内向き爪部16ａがスライダ６ａの裏側の縁に引っ掛かって、スライダ６ａを抱持するようになっている。
【００２５】
以上のような構成であるため、図５（Ａ）に示すように、加入者側光コネクタ６が適正位置まで挿入されたときは、嵌合凸部14を嵌合凹部12に一致させて位置確認部材11を装着すると、抱え込み部15がスライダ６ａに突き当たることなく図１のように正常に装着することができる。一方、図５（Ｂ）に示すように、加入者側光コネクタ６が適正位置まで挿入されない「半挿し」のときは、嵌合凸部14を嵌合凹部12に一致させて位置確認部材11を被せようとすると、抱え込み部15がスライダ６ａに突き当たって装着できないので、加入者は光コネクタ６が適正位置まで挿入されていないことを察知できる。したがって加入者は再度光コネクタ６の押し込みを行うことで問題を解消できる。
【００２６】
なお、この実施例では、ケースカバー１Ｂに嵌合凹部12を設け、位置確認部材11に嵌合凸部14を設けたが、これとは逆に、ケースカバーに嵌合凸部を、位置確認部材に嵌合凹部を設けてもよい。
【００２７】
＜実施例２＞  図６は本発明の他の実施例を示す。この実施例は、位置確認部材11を、ケースカバー１Ｂにヒンジ部17を介して開閉可能に取り付けた場合である。図６（Ａ）は加入者側光コネクタを挿抜するため位置確認部材11を開いた状態、同図（Ｂ）は加入者側光コネクタ６が適正位置まで挿入されて、位置確認部材11を加入者側光コネクタ６の突出部に装着した状態（閉じた状態）を示している。
【００２８】
ヒンジ部17は、ケースカバー１Ｂ及び位置確認部材11と同じ樹脂材料の薄肉部で構成されている。つまり、ケースカバー１Ｂと、位置確認部材11と、ヒンジ部17は同じ樹脂材料で一体に成形され、ヒンジ部17は位置確認部材11のケースカバーへの取り付け部とケースカバー１Ｂの被取り付け部を兼ねている。
【００２９】
この実施例では、抱え込み部15はスライダ６ａの後端面のケースカバー側の部分を抱え込むように形成され、抱持片16はスライダ６ａの片側だけを抱え込むように形成されている。
【００３０】
この実施例の場合は、抱え込み部15とヒンジ部17間の寸法が、加入者側光コネクタ６が適正位置まで挿入されたときは抱え込み部15がスライダ６ａの後端面を抱え込めるが、適正位置まで挿入されないときは抱え込み部15がスライダ６ａに突き当たってスライダ６ａの後端面を抱え込めないように設定されている。
【００３１】
この実施例によれば、位置確認部材11がケースカバー１Ｂにヒンジ部17を介して取り付けられているので、位置確認部材11を紛失するおそれがない。また位置確認部材11を加入者側光コネクタの突出部に装着する操作も実施例１のものより簡単である。
【００３２】
＜実施例３＞  図７は本発明のさらに他の実施例を示す。この実施例も、位置確認部材11を、ケースカバー１Ｂにヒンジ部17を介して開閉可能に取り付けた場合であるが、ケースカバー１Ｂと位置確認部材11が別部品として成形され、位置確認部材11のケースカバーへの取り付け部とケースカバー１Ｂの被取り付け部がヒンジピンを介して連結されている点で実施例２とは異なる。それ以外の構成は実施例２と同じであるので、図６と同一部分には同一符号を付して説明を省略する。
【００３３】
この実施例では、位置確認部材11がケースカバー１Ｂと別部品として製作できるため、加入者側光コネクタ６の寸法が変更されたりした場合に、位置確認部材11だけを作り替えればよいので、容易に安価に対応できるという、実施例２にはない効果が得られる。このような効果は実施例１も同様に有している。
【００３４】
なお、実施例３では、ヒンジピンが位置確認部材11及びケースカバー１Ｂと別部品である場合を説明したが、ケースカバー１Ｂにヒンジピンを形成し、位置確認部材11にピン穴（ピン受け凹部でも可）を形成して（逆にケースカバー１Ｂにピン穴を形成し、位置確認部材11にヒンジピンを形成して）、ヒンジピンとピン穴を回動可能に嵌合させることでヒンジ部を構成してもよい。
【符号の説明】
【００３５】
１：ケース
１Ａ：ケース本体
１Ｂ：ケースカバー
２：アダプタ
３：局側光ケーブル
４：局側光コネクタ
５：加入者側光ケーブル
６：加入者側光コネクタ
６ａ：スライダ
11:位置確認部材
12：嵌合凹部（被取り付け部）
13：正面板部
14：嵌合凸部（取り付け部）
15：抱え込み部
16：抱持片
16ａ：内向き爪部
17：ヒンジ部（取り付け部・被取り付け部）
【図１】
2013113923.tif 000003
【図２】
2013113923.tif 000004
【図３】
2013113923.tif 000005
【図４】
2013113923.tif 000006
【図５】
2013113923.tif 000007
【図６】
2013113923.tif 000008
【図７】
2013113923.tif 000009
【図８】
2013113923.tif 000010
【図９】
2013113923.tif 000011
【図１０】
2013113923.tif 000012
【図１１】
2013113923.tif 000013